(57)【要約】【課題】温調用の水を循環させるために光学レンズ成形用型の内部に形成された流路に錆が発生しても、これを目視にて容易に確認することができ、錆を取り除くためのメンテナンスも容易な光学レンズ成形用型、及びそのような光学レンズ成形用型を用いたプラスチックレンズの製造方法を提供する。【解決手段】ガラス基材１１ａ，１２ａを型本体１１ｂ，１２ｂに接合してインサート金型１１，１２を形成するに際して、ガラス基材１１ａ，１２ａが接合される型本体１１ｂ，１２ｂの接合面に流路形成用の溝を刻設しておき、この溝をガラス基材１１ａ，１２ａで液密に覆うことによって、温調用の水が循環する流路Ｃを形成する。【選択図】    図５
2013208801.tif 000002
【特許請求の範囲】
【請求項１】
温調用の水を循環させるための流路が内部に形成された光学レンズ成形用型であって、
レンズの光学面を成形する成形面が形成されたガラス基材を型本体に接合してなり、
前記ガラス基材が接合される前記型本体の接合面に溝を刻設し、前記溝を前記ガラス基材で液密に覆うことによって前記流路を形成したことを特徴とする光学レンズ成形用型。
【請求項２】
硫黄含有熱硬化性樹脂からなる接着剤を用いて、前記ガラス基材を、前記型本体に接合した請求項１に記載の光学レンズ成形用型。
【請求項３】
前記硫黄含有熱硬化性樹脂が、チオウレタン樹脂である請求項２に記載の光学レンズ成形用型。
【請求項４】
請求項１〜３のいずれか一項に記載の光学レンズ成形用型を用いて、プラスチックレンズを製造することを特徴とするプラスチックレンズの製造方法。
【発明の詳細な説明】
【技術分野】
【０００１】
本発明は、温調用の水を循環させるための流路が内部に形成された光学レンズ成形用型、及びかかる光学レンズ成形型を用いたプラスチックレンズの製造方法に関する。
【背景技術】
【０００２】
従来、眼鏡用のプラスチックレンズには、ポリカーボネート樹脂やメタクリル樹脂などの熱可塑性樹脂を用いた射出成形法によって製造されているものがあり、累進屈折力レンズのように複雑な光学面形状を有するプラスチックレンズであっても、成形型のキャビティ形状を転写させることで高精度な成形を可能としている。
【０００３】
このような射出成形法にあっては、キャビティ内に充填された溶融樹脂が、その取り出しのために十分に固化するまでに冷却されるようにするが、このとき樹脂の熱が金型に伝わって冷却される。この際、金型の内部に温調用の水を循環させて熱交換することで、冷却効率を高めることが知られている。
【０００４】
しかしながら、金型の内部に温調用の水を循環させるために形成された流路は、通常、金型を形成する鋼材が剥き出しの状態となっており、長時間にわったて水に触れることで錆が発生してしまう。そして、流路に錆が発生してしまうと、流路の錆や、温調用の水に混入した錆の影響によって、流路を流れる温調用の水と金型との間の熱交換効率が大幅に低下するという問題がある。
このような問題を解決するために、例えば、特許文献１では、錆が発生しにくい金型用鋼を用いて金型を形成している。
【先行技術文献】
【特許文献】
【０００５】
【特許文献１】特開平４−２７４５号公報
【発明の概要】
【発明が解決しようとする課題】
【０００６】
しかしながら、特許文献１の金型用鋼は、耐発錆性と優れた被切削性とを兼備させるために、従来のプラスチック成形用途の鋼と比較して、かなり高い割合でＣｒを含有している。Ｃｒの含有率を上げることで耐発錆性は向上するが、その反面、熱伝導率が悪化してしまい、錆が発生しにくい代わりに、熱交換の効率が犠牲になってしまうという問題がある。
特許文献１の金型用鋼は、従来のプラスチック成形用途の鋼材と比較すれば、錆の発生は抑えられているが完全なものではなく、長時間にわたって水に触れることで錆が発生してしまうのは避けられない。
【０００７】
このため、従来は、ある程度の錆の発生は容認し、熱伝導率の高い鋼材を採用して、錆については定期的にメンテナンスを行うということが一般になされていたが、金型内部に形成された流路に錆が生じているか否かを目視で確認することができなかった。
【０００８】
本発明は、上記したような事情に鑑みてなされたものであり、温調用の水を循環させるために光学レンズ成形用型の内部に形成された流路に錆が発生しても、これを目視にて容易に確認することができ、錆を取り除くためのメンテナンスも容易な光学レンズ成形用型、及びそのような光学レンズ成形用型を用いたプラスチックレンズの製造方法の提供を目的とする。
【課題を解決するための手段】
【０００９】
本発明に係る光学レンズ成形用型は、温調用の水を循環させるための流路が内部に形成された光学レンズ成形用型であって、レンズの光学面を成形する成形面が形成されたガラス基材を型本体に接合してなり、前記ガラス基材が接合される前記型本体の接合面に溝を刻設し、前記溝を前記ガラス基材で液密に覆うことによって前記流路を形成した構成としてある。
【００１０】
また、本発明に係るプラスチックレンズの製造方法は、上記のような光学レンズ成形用型を用いて、プラスチックレンズを製造する方法としてある。
【発明の効果】
【００１１】
本発明によれば、温調用の水を循環させるために内部に形成された流路に発生する錆を随時、目視にて確認することができ、錆が発生した場合に、錆の除去を目的としたメンテナンスが可能となり、錆の発生による熱交換効率の低下を事前に防ぐことが可能になる。
【図面の簡単な説明】
【００１２】
【図１】射出成形装置の一例を示す説明図である。
【図２】図１に示す射出成形装置が備える成形型の概略を示す断面図である。
【図３】図２のＡ−Ａ断面図である。
【図４】図２のＢ−Ｂ断面図である。
【図５】図３におけるキャビティの周囲を拡大して示す要部拡大断面図である。
【図６】温調用の水を循環させる流路の配置の一例を示す説明図である。
【図７】温調用の水を循環させる流路の配置の他の一例を示す説明図である。
【図８】本発明に係るプラスチックレンズの製造方法の実施形態における各ステップを示すフローチャートである。
【発明を実施するための形態】
【００１３】
以下、本発明の実施形態について、図面を参照しながら説明する。
【００１４】
［射出成形装置］
図１は、本実施形態に係る光学レンズ成形用型を用いてプラスチックレンズを成形する射出成形装置の一例を示す説明図である。
【００１５】
図１に示す射出成形装置は、パーティングラインＰＬで分割される一対の分割型として可動型１と固定型２とを有する成形型５０と、トグルリンク機構６５によって成形型５０の開閉及び型締めをする型締装置６０と、ホッパー８１から投入された原料樹脂を加熱シリンダ８２で溶融、混練、計量してノズル８５から射出する射出装置８０とを備えている。
【００１６】
［射出装置］
図１に示す射出成形装置が備える射出装置８０は、先端部にノズル８５が形成された加熱シリンダ８２を有している。この加熱シリンダ８２の内部には、駆動部８４によって回転及び進退移動が制御されたスクリューが配設されている。
【００１７】
また、加熱シリンダ８２の基端側には、ペレット状の原料樹脂を加熱シリンダ８２内に投入するためのホッパー８１が接続されている。ホッパー８１から加熱シリンダ８２内に投入された原料樹脂は、加熱シリンダ８２内で回転するスクリューによってせん断、粉砕されつつ、せん断熱と加熱シリンダ８２が備えるヒーターからの加熱によって溶融、混練されながら、スクリューの先端とノズル８５との間に形成されるシリンダ前室に送られて計量され、その後、射出成形に適した粘度に調整されて溶融状態にある所定量の原料樹脂がノズル８５から射出される。
【００１８】
［型締装置］
図１に示す射出圧形装置において、型締装置６０は、所定の間隔で架台６６に立設された固定ダイプレート６１とリヤプレート６２との間に複数のタイバー６３を架設し、可動ダイプレート６４が、タイバー６３に案内されて移動可能となるように構成されている。そして、固定ダイプレート６１と可動ダイプレート６４との間には、成形型５０が取り付けられており、リヤプレート６２と可動ダイプレート６４との間には、トグルリンク機構６５が取り付けられている。
これにより、トグルリンク機構６５を駆動させると、可動ダイプレート６４がタイバー６３に案内されて進退し、これに伴って、成形型５０の開閉と型締めとがなされるようになっている。
【００１９】
ここで、トグルリンク機構６５は、図示しないモータに接続されたボールねじ７２の回転に伴って、螺着されたクロスヘッド７３がボールねじ７２に沿って移動するようになっている。そして、クロスヘッド７３が可動ダイプレート６４側に移動すると、連結リンク７４Ａ，７４Ｂによってトグルリンク７１Ａ，７１Ｂが直線状に伸びて、可動ダイプレート６４が固定ダイプレート６１に近づくように移動（前進）する。これとは反対に、クロスヘッド７３がリヤプレート６２側に移動すると、連結リンク７４Ａ，７４Ｂによってトグルリンク７１Ａ，７１Ｂが内方へ屈曲して、可動ダイプレート６４が固定ダイプレート６１から離れるように移動（後退）する。
【００２０】
［成形型］
図２は、図１に示す成形型５０を、その中心軸を通る紙面に垂直な面で切り取った断面を示す断面図であり、型閉じした初期の状態を示している。また、図３は、図２のＡ−Ａ断面図、図４は、図２のＢ−Ｂ断面図であり、図５は、図３におけるキャビティ３の周囲を拡大して示す要部拡大断面図である。
【００２１】
これらの図に示す例では、一対の分割型として成形型５０が有する可動型１と固定型２との間に、所定形状のプラスチックレンズを成形するための二つキャビティ３とともに、ゲートＧを介して各キャビティ３に接続された樹脂流路としてのランナ４９が形成されるようになっている。そして、固定型２の型板１０には、ランナ４９に直角に接続されるスプルー４８を形成するスプルーブッシュ４７が取り付けられている。
【００２２】
可動型１の型本体４は、二つのインサートガイド部材５と、これらを保持する型板６，７とを有している。インサートガイド部材５の内部には、光学レンズ成形用型としてのインサート金型１１が、パーティングラインＰＬに対して直角方向へ摺動可能となるように収納されている。
また、固定型２の型本体８は、二つのインサートガイド部材９と、型板１０とを有しており、インサートガイド部材９は、型板１０と型取付部材１５とによって保持されている。インサートガイド部材９の内部には、光学レンズ成形用型としてのインサート金型１２が、パーティングラインＰＬに対して直角方向へ摺動可能となるように収納されている。
【００２３】
このような可動型１と固定型２とを有する成形型５０は、可動型１と固定型２との間に、可動型１側のインサート金型１１と固定型２側のインサート金型１２のそれぞれに形成された成形面を含むキャビティ３が形成されている。キャビティ３は、成形しようとするプラスチックレンズの形状に対応して形成され、キャビティ３を形成するインサート金型１１，１２のそれぞれの成形面は、ガラス基材１１ａ，１２ａに形成されている。
【００２４】
より具体的には、可動型１側のインサート金型１１は、成形しようとするプラスチックレンズの一方の光学面（図示する例では、凹面側の面）に対応する成形面が、ガラス基材１１ａに形成されており、当該ガラス基材１１ａを型本体１１ｂに接合することによってインサート金型１１が形成されている。固定型２側のインサート金型１２も同様に、成形しようとするプラスチックレンズの他方の光学面（図示する例では、凸面側の面）に対応する成形面が、ガラス基材１２ａに形成され、当該ガラス基材１２ａを型本体１２ｂに接合することによってインサート金型１２が形成されている(図５参照)。
【００２５】
本実施形態において、インサート金型１１，１２には、図示しない金型温度調節装置から供給される温調用の水を循環させるための流路Ｃが配設されている。
すなわち、上記したようにして、ガラス基材１１ａ，１２ａを型本体１１ｂ，１２ｂに接合するに際して、ガラス基材１１ａ，１２ａが接合される型本体１１ｂ，１２ｂの接合面に流路形成用の溝を刻設しておき、この溝をガラス基材１１ａ，１２ａで液密に覆うことによって、金型温度調節装置から供給された温調用の水が循環する流路Ｃが形成されるようにしてある。そして、ガラス基材１１ａ，１２ａとして、透過性の高いガラス素材を用いることで、当該流路Ｃの状態を目視によって確認することが可能になる。
【００２６】
このようなガラス素材としては、例えば、クラウン系、フリント系、バリウム系、リン酸塩系、フッ素含有系、フツリン酸系などの非晶質のガラス素材を用いることができる。これらのなかでも、熱伝導率が０．４〜１．３Ｗ／ｍ・Ｋの非晶質のガラス素材を適宜選択して用いるのが、その断熱効果により、金型温度を低く設定して冷却時間の短縮を図る上で好ましい。
【００２７】
また、このような非晶質のガラス素材は、切削や研磨などにより表面の鏡面性が容易に得られ、高い精度が要求される成形面を形成するのにも適している。
すなわち、研磨工程を経て鋼材からなるインサート金型に直接成形面を形成するには、高度の技術と、手間のかかる工程を必要とするが、レンズの光学面を成形する成形面が形成されたガラス基材１１ａ，１２ａを型本体１１ｂ，１２ｂに接合してインサート金型１１，１２を形成することにより、成形面の形成が容易になり、製作工数も短縮することができる。これにより、インサート金型１１，１２を低コストで製造することが可能になる。
【００２８】
ガラス基材１１ａ，１２ａは、成形条件を考慮して、射出成形時の射出圧力や保持圧力に十分に耐えることができるように、３〜４ｍｍの厚みで形成するのが好ましい。射出成形時はもとより、取扱い時の破損を防ぐなどの目的で、強化ガラス又はＤＬＣ（ダイヤモンドライクカーボン）などにより表面処理を施すこともできる。
【００２９】
ガラス基材１１ａ，１２ａを型本体１１ｂ，１２ｂに接合するには、線膨張係数が低く、高温環境における安定性に優れた熱硬化性樹脂を接着剤として用いることができる。そして、型本体１１ｂ，１２ｂの接合面にハケで塗布するなどして、両者を接合すればよい。このような熱硬化性樹脂としては、硫黄を含有する熱硬化性モノマーを反応して得られる硫黄含有熱硬化性樹脂が好ましい。硫黄含有熱硬化性樹脂は、線膨張係数が低く、高温環境下にあっても安定性に優れるとともに、ガラス基材との接着性（密着性）にも優れている。さらに、硬化前のモノマーの状態において、表面張力が低く接着対象面に液膜状に付着させることが可能であるため、ガラス基材１１ａ，１２ａと型本体１１ｂ，１２ｂとの間に形成される接着層を極めて薄い層とすることができる。
【００３０】
硫黄含有熱硬化性樹脂としては、チオウレタン樹脂及びエピチオ系樹脂から選ばれる少なくとも１種の樹脂であることが好ましい。ここで、チオウレタン樹脂とは、ポリイソシアネート化合物とポリチオール化合物とを反応して得られる樹脂をいい、エピチオ系樹脂とは、エピチオ基を有する化合物を必須成分とするレンズ原料モノマーを反応して得られる樹脂をいう。ガラス基材との接着に極めて優れ、かつ、経済性に優れる点から、硫黄含有熱硬化性樹脂としては、チオウレタン樹脂を用いるのが特に好ましい。市販のチオウレタン樹脂としては、例えば、三井化学株式会社製のＭＲシリーズ、商品名「ＭＲ−６」、「ＭＲ−７」、「ＭＲ−８」、「ＭＲ−１０」、「ＭＲ−２０」、「ＭＲ−１７４６」などが好適に用いられる。
【００３１】
プラスチックレンズの射出成形の品質と生産性に大きな影響を与えるパラメータとして、金型温度がある。この金型温度をコントロールし、一定の温度に保つために、金型温度調節装置から供給される温調用の水をインサート金型１１，１２内に循環させることができる。金型温度調節装置内のヒーターによって一定温度に温められた水はポンプで送られて、インサート金型１１，１２内に設けた流路Ｃを一周してから温調機へ戻り、一定温度に調整されてから再び流路に送られる。インサート金型１１，１２内を循環する温調用の水は、その熱が流路Ｃの壁から伝わってインサート金型１１，１２の温度を上げる役割を果たす。その一方で、射出成形時にキャビティ内に射出、充填された溶融樹脂の熱が、インサート金型１１，１２を経て流路Ｃの壁から温調用の水へ伝わっていき、樹脂を冷却する役割も同時に果している。
【００３２】
本実施形態において、インサート金型１１，１２に設けられる流路Ｃは、例えば、図６に示すように、入口ＩＮから流入してきた温調用の水が、中心部を通ってから外周部を周り、また中心部へ戻ってきて出口ＯＵＴから流出する配置としたり、図７に示すように、入口ＩＮから流入してきた温調用の水が、中心部から渦巻き状に外周へ広がりながら進み、出口ＯＵＴから流出する配置としたりすることができる。成形面の全体を均等に冷却できれば、流路Ｃの配置は、これらに限定されないが、成形面の温度ムラが生じないようにするためには、流路Ｃの溝深さを一定にするのが好ましい。
これらの配置において、入口ＩＮから流入してきた温調用の水は、流路Ｃを一周した後に出口ＯＵＴから流出されるが、この一連の流れを断続的に行い、流路Ｃ内を流れる温調用の水とインサート金型１１，１２との間で熱交換がなされるようにしている。
【００３３】
型本体１１ｂ，１２ｂは、マルエージング鋼、ベリリウム銅合金などの鋼材を用いて形成することができるが、型本体１１ｂ，１２ｂに刻設された流路Ｃは、型本体１１ｂ，１２ｂを形成する鋼材が剥き出しの状態となっている。このため、長い時間にわったて水に触れることで錆が発生してしまう。そして、流路に錆が発生してしまうと、流路Ｃ内を流れる温調用の水とインサート金型１１，１２との間でなされる熱交換の効率が大幅に低下する。
【００３４】
本実施形態では、型本体１１ｂ，１２ｂの接合面に流路形成用の溝を刻設しておき、この溝をガラス基材１１ａ，１２ａで液密に覆うことによって流路Ｃを形成しているので、流路Ｃに発生する錆を随時、目視にて確認することができる。このため、錆が発生した場合に、錆の除去を目的としたメンテナンスが可能となり、錆の発生による熱交換効率の低下を事前に防ぐことが可能になる。
【００３５】
さらに、接着剤として、前述したような硫黄含有熱効果性樹脂を用いると、その軟化温度付近の温度雰囲気下で、ガラス基材１１ａ，１２ａと型本体１１ｂ，１２ｂとの接合面をずらすように荷重をかけることで、型本体１１ｂ，１２ｂからガラス基材１１ａ，１２ａを容易に取り外すことができる。
このため、本実施形態にあっては、流路Ｃに発生する錆を随時、目視にて確認することができるだけでなく、錆が発生した場合に、錆の除去を目的としたメンテナンスも容易に行うこともできる。
【００３６】
以上のような構成とされた成形型５０は、可動型１の型本体４が、型取付部材１６を介して可動ダイプレート６４に固定されており、固定型２の型本体８が、型取付部材１５を介して固定ダイプレート６１に固定されている。これによって、型締装置６０の固定ダイプレート６１と可動ダイプレート６４との間に、成形型５０が取り付けられるようになっている。
【００３７】
また、可動型１側の型取付部材１６には、インサート金型１１のそれぞれに対応させて油圧シリンダ１９が設けられており、ピストン２０に連結されたピストンロッド２１が、油圧シリンダ１９の一端側に固定されたバックインサート２２内を貫通している。そして、それぞれのピストンロッド２１の先端に設けられたＴ字クランプ部材２３が、インサート金型１１の背面（成形面が形成された面とは反対側の面）に形成されたＴ字溝２４に係脱自在に係合されている。
【００３８】
これによって、成形型５０を型開きした状態で、各油圧シリンダ１９のピストンロッド２１を前進させて、それぞれのピストンロッド２１の先端に設けられたＴ字クランプ部材２３をインサートガイド部材５から突出させることで、成形しようとするプラスチックレンズに応じてインサート金型１１を交換できるようになっている。各油圧シリンダ１９のピストンロッド２１が後退すると、Ｔ字クランプ部材２３に取り付けられたインサート金型１１は、インサートガイド部材５の内部に収納される。
【００３９】
同様に、固定型２側の型取付部材１５にも、インサート金型１２のそれぞれに対応させて油圧シリンダ２６が設けられており、ピストン２７に連結されたピストンロッド２８が、型取付部材１５内を貫通している。そして、それぞれのピストンロッド２８の先端に設けられたＴ字クランプ部材２９が、インサート金型１２の背面（成形面が形成された面とは反対側の面）に形成されたＴ字溝３０に係脱自在に係合されている。
【００４０】
これによって、成形型５０を型開きした状態で、各油圧シリンダ２６のピストンロッド２８を前進させて、それぞれのピストンロッド２８の先端に設けられたＴ字クランプ部材２９をインサートガイド部材９から突出させることで、成形しようとするプラスチックレンズに応じてインサート金型１２を交換することができるようになっている。各油圧シリンダ２６のピストンロッド２８が後退すると、Ｔ字クランプ部材２９に取り付けられたインサート金型１２は、インサートガイド部材９の内部に収納される。
【００４１】
また、可動型１の型本体４を可動ダイプレート６４に固定するに際して、型本体４は、図３に示すように、第一部材１６Ａと、第二部材１６Ｂとからなる型取付部材１６にボルト１７で取り付けられている。このとき、可動型１の型本体４と型取付部材１６との間には、ボルト１７の外周に挿入された複数の皿ばね１７Ａが介装されており、可動型１の型本体４と型取付部材１６との間に隙間Ｓが形成されるようになっている。
【００４２】
この隙間Ｓは、成形型５０が閉じられた後に可動ダイプレート６４がさらに前進し、ガイドピン１８でガイドされた型取付部材１６が、皿ばね１７Ａの弾性力に抗して押圧されることにより閉じられるようになっている。これに伴って、図示する例では、型取付部材１６に設けられた各油圧シリンダ１９が、バックインサート２２を介してインサート金型１１を押圧するようになっている。これにより、型締めがなされる際のキャビティ３の容積を可変とし、キャビティ３内に射出充填された溶融樹脂をインサート金型１１によって加圧圧縮できるようにしてある。
なお、ガイドピン１８は、成形型５０の開閉動作もガイドするように、固定型２側に突出して、固定型２に穿設された挿通孔に挿通されるようになっている。
【００４３】
また、可動型１側の型取付部材１６に設けられた油圧シリンダ１９の他端側には、受圧部材３２が取り付けられている。そして、型取付部材１６に形成された孔３３から挿入されたエジェクトロッド３４が受圧部材３２を押圧すると、油圧シリンダ１９、バックインサート２２及びインサート金型１１も押圧され、キャビティ３内で成形されたレンズが押し出されるようになっている。
これとともに、型取付部材１６の中央には、成形型５０の開閉方向と平行に進退可能にエジェクトピン３５が配置されている。型取付部材１６に形成された孔３７から挿入されたエジェクトロッド３８によって、エジェクトピン３５に取り付けられた受圧部材３６が押圧されると、エジェクトピン３５が押し出される。
したがって、型開きに際しては、エジェクトロッド３４，３８を前進させることによって、成形品の取り出しがなされるようになっている。
【００４４】
なお、図４に示すように、受圧部材３６には、エジェクトリターンピン４１の外周に巻回されたばね４２のばね力が図中左向きに作用している。また、特に図示しないが、受圧部材３２にも、図中左向きのばね力が作用するように、同様の構造とされている。これにより、エジェクトロッド３４，３８が後退すると、受圧部材３２，３６も後退して待機位置に戻るようになっている。
【００４５】
また、成形型５０は、図４に示すように、射出装置８０のノズル８５を閉塞するノズルシャット機構９０を有している。ノズルシャット機構９０は、スプルーブッシュ４７によって形成されるスプルー４８内に突出する遮断部材としてのノズルシャットピン９１を有している。このノズルシャットピン９１は、接続片９２を介して油圧シリンダ９３のピストンロッド９４に接続されており、油圧シリンダ９３は、シリンダ取付板９５によって型取付部材１５に固定されている。これにより、スプルーブッシュ４７にノズル８５が圧接した状態において、油圧シリンダ９３を駆動させると、ノズルシャットピン９１がスプルー４８内に突出してノズル８５を閉塞し、樹脂の逆流を阻止するようになっている。
【００４６】
［プラスチックレンズの製造方法］
以上のような射出成形装置を用いてプラスチックレンズを製造するには、例えば、図８のフローチャートに示す各ステップ（ＳＴ１〜ＳＴ１０）を順に行うことができる。
【００４７】
ＳＴ１において、樹脂加圧条件の設定を行う。これは、予め、適正な圧力をキャビティ３内の樹脂に付加するために、成形しようとするプラスチックレンズの特性（レンズ形状及びレンズ度数など）に応じて、型締め力を調整するためのものである。
【００４８】
ＳＴ２において、計量を行う。射出装置８０において、ホッパー８１から投入されたペレット状の原料樹脂は、加熱シリンダ８２内で回転するスクリューによって、せん断、粉砕されつつ、せん断熱と加熱シリンダ８２が備えるヒーターからの加熱によって溶融、混練されながら、スクリューの先端とノズル８５との間に形成されるシリンダ前室に送られて計量される。ここでは、キャビティ３、ランナ４９及びスプルー４８に充填されるのに必要な量の溶融樹脂を計量する。
なお、原料樹脂としては、この種のプラスチックレンズの成形に一般に使用されるポリカーボネート樹脂やアクリル樹脂などの熱可塑性樹脂を用いることができる。
【００４９】
ＳＴ３において、パーティングラインＰＬで型閉じする。具体的には、トグルリンク機構６５を駆動して、クロスヘッド７３を前進させると、トグルリンク７１Ａ，７１Ｂが伸びて、可動ダイプレート６４が固定ダイプレート６１に向かって前進することによって、成形型５０の型閉じを行う。このとき、可動型１の型本体４と型取付部材１６との間に介装された皿ばね１７Ａが圧縮されない状態で隙間Ｓを保って、固定型２及び可動型１をパーティングラインＰＬで型閉じする。この状態では、隙間Ｓは最大開き量に設定されている。
【００５０】
ＳＴ４において、キャビティ容積の設定を行う。ＳＴ３で可動型１と固定型２とをパーティングラインＰＬで密着させた状態から、さらにクロスヘッド７３を予め設定した位置（キャビティ容積設定位置）まで前進させる。これにより、トグルリンク７１Ａ，７１Ｂが伸びて、可動ダイプレート６４が固定ダイプレート６１に向かって移動され、キャビティ拡大位置まで移動される。キャビティ拡大量は、クロスヘッド位置の設定により決定される。これにより、成形型５０の隙間Ｓはキャビティ拡大分を残して縮小される。このとき、キャビティ３の容積（肉厚）は、成形されるレンズ容積（肉厚）、つまり、取出し成形品の肉厚より大きく拡大された状態にある。また、皿ばね１７Ａは圧縮されるため、その反力として、幾分かの型締め力が発生している。
【００５１】
ＳＴ５において、射出を行う。ＳＴ２で計量された溶融樹脂を射出ノズル８５の通路を通じて成形型５０に射出する。つまり、射出装置８０の加熱シリンダ８２内に導入して計量した溶融樹脂を射出する。すると、溶融樹脂が加熱シリンダ８２の先端に形成されたノズル８５から射出され、スプルー４８、ランナ４９、ゲートＧを通じてキャビティ３内に充填されていく。溶融樹脂がキャビティ３に充填されるとき、射出速度は一定制御されている。
【００５２】
ＳＴ６において、樹脂を型内に封じ込める。Ｔ５で所定量の樹脂を射出した後、溶融樹脂の射出充填が完了する直前に、クロスヘッド７３をさらに前進させる。そして、射出充填が完了した後には、直ちにノズルシャット機構９０によってスプルー４８内にノズルシャットピン９１を突出させてノズル８５を閉塞する。これにより、充填された溶融樹脂は、圧縮加圧された状態で成形型５０内に封じ込められる。
【００５３】
ＳＴ７において、樹脂加圧を行う。ＳＴ６でクロスヘッド７３の前進を開始し、クロスヘッド７３が原点（ゼロ位置）まで前進して停止すると、トグルリンク７１Ａ，７１Ｂは伸びきるため、成形型５１内に封じ込められた溶融樹脂は圧縮加圧される。
【００５４】
ＳＴ８において、冷却を行う。これには、成形型５０の各部（インサート、インサートガイド部材など）の温度が、成形するレンズ特性に応じてＴｇ点以下の設定された温度になるように、金型温度調節装置によって温調用の水の温度制御を行う。圧縮加圧された状態のまま成形型５０内に封じ込められた溶融樹脂を冷却すると、キャビティ３に射出充填された原料樹脂は、加圧圧縮された状態で冷却が進行していくにつれ、固化、収縮していき、所定の容積のプラスチックレンズが成形される。
【００５５】
ＳＴ９において、離型動作を行う。離型動作では、トグルリンク機構６５のクロスヘッド７３をリヤプレート６２に向かって後退させて成形型５０の型開きを行う。
【００５６】
ＳＴ１０において、成形品エジェクト動作を行う。クロスヘッド７３を最後まで後退させると、可動ダイプレート６４と固定ダイプレート６１との間隔は最大となり、成形型５０はパーティングラインＰＬより分割されて開かる。この型開きに際して、エジェクトロッド３４，３８を前進させて、成形されたプラスチックレンズの取り出しを行う。
【００５７】
以上、本発明について、好ましい実施形態を示して説明したが、本発明は、前述した実施形態にのみ限定されるものではなく、本発明の範囲で種々の変更実施が可能であることはいうまでもない。
【００５８】
例えば、眼鏡用のプラスチックレンズを製造する方法としては、仕上げ寸法よりも厚肉の半完成品の状態でレンズを成形しておき、このセミフィニッシュレンズと称される半完成品を後加工で最終形状に仕上げる方法、例えば、凸面側が異なる光学面形状として成形され、凹面側が共通の凹面によって成形された複数の種類のセミフィニッシュレンズを用意しておき、これらの中から使用者の処方に応じて適当なレンズを選択し、その処方を満たすように凹面側を切削、研磨して最終形状に仕上げることによって製造する方法が知られている。
【００５９】
このようなセミフィニッシュレンズを射出成形法によって製造する場合には、キャビティを形成する一対の分割型のうち少なくとも一方の型（後加工によって切削、研磨が施されない面を成形する型）において、本発明に係る光学レンズ成形用型を適用するようにしてもよい。
【産業上の利用可能性】
【００６０】
本発明は、プラスチックレンズを射出成形法により製造するにあたり、金型の内部に温調用の水を循環させて冷却効率を高めることにより、冷却時間を短縮し、成形サイクルタイムを短縮する技術として利用できる。
【符号の説明】
【００６１】
１１，１２      インサート金型（光学レンズ成形用型）
１１ａ，１２ａ      ガラス基材
１１ｂ，１２ｂ      型本体
Ｃ      流路
【図１】
2013208801.tif 000003
【図２】
2013208801.tif 000004
【図３】
2013208801.tif 000005
【図４】
2013208801.tif 000006
【図５】
2013208801.tif 000007
【図６】
2013208801.tif 000008
【図７】
2013208801.tif 000009
【図８】
2013208801.tif 000010